(57)【要約】【課題】  バス及び鉄道客車の廃車解体作業でボトルネックとされていた一連のガラス窓の破砕作業を手作業によらず効率的に可能とするガラス破砕作業機を提供する。【解決手段】  スクラップ対象車両の一連のガラス窓から窓ガラスを回収するためのガラス破砕作業機。車両側面に接近離反可能な架台ステージ(12)と、架台ステージ(12)上に起伏可能に搭載されたロアブーム(22)と、ロアブーム(22)の上端部でロアブーム(22)の起伏回動面と交差する平面内の側方へ揺動可能な第１ブーム(24)と、第１ブーム(24)の先端部で第１ブーム(24)の揺動平面と平行な平面内の屈曲角度を変更可能な第２ブーム(26)と、第２ブーム(26)の先端部で第１ブーム(24)の揺動平面と平行な平面内の屈曲角度を変更可能な治具ホルダ(28)と、治具ホルダ(28)に装着されたガラス破砕用治具(29)と、外部から車両のガラス窓の下縁部に沿わせることが可能な回収バケット(17)とを備える。【選択図】      図１
2011000975.tif 000002
【特許請求の範囲】
【請求項１】
自走車両に旋回可能に搭載された架台ステージと、このステージに伏仰可能に搭載された油圧作動ブームと、このブームの先端に取付けられたガラス破砕用治具と、前記架台ステージに搭載された起伏駆動可能な作業アームと、該作業アームの先端に取付けられたガラス破砕片回収バケットとを備えたスクラップ作業車であって、
前記油圧作動ブームが、前記架台ステージに伏仰可能に搭載されたロアブームと、前記ロアブームの上端部でロアブームの起伏回動面と交差する平面内の側方へ揺動可能な第１アッパーブームと、前記第１アッパーブームの先端部で第１アッパーブームの揺動平面と平行な平面内の屈曲角度を変更可能な第２アッパーブームと、第２アッパーブームの先端部で第１アッパーブームの揺動平面と平行な平面内の屈曲角度を変更可能な治具アームホルダと、治具アームホルダに装着されたガラス破砕用治具と、外部から車両のガラス窓の下縁部に沿わせることが可能な回収バケットとを備えたことを特徴とするガラス回収用スクラップ作業車。
【請求項２】
前記ガラス破砕用治具が遠隔操作によって先端部が開閉作動するニブラーであることを特徴とする請求項１に記載のガラス回収用スクラップ作業車。
【請求項３】
前記ガラス破砕片回収バケットが取付けられた作業アームが、前記ロアブームの伏仰面に平行な起伏駆動面を有するように配されたことを特徴とする請求項１又は２に記載のガラス回収用スクラップ作業車。
【請求項４】
前記架台ステージ上に操縦者が前記ロアブーム及び作業アームに正対するように搭乗可能な操縦席を更に備えたことを特徴とする請求項３に記載のガラス回収用スクラップ作業車。
【発明の詳細な説明】
【技術分野】
【０００１】
本発明は、例えば一連のガラス窓を有する大型バス・鉄道客車等の廃車車両に装着されたガラスを良好に回収することのできるガラス回収用スクラップ作業車に関するものである。
【背景技術】
【０００２】
例えば、先端に開閉作業ペンチャーを有する油圧作動ブームを旋回及び伏仰可能に備えた自走車両の前部又は後部に動力で開閉可能な左右一対の作業アームを装備し、この作業アームに、スクラップ対象物を回動可能に両側から挟んで保持するための一対の対向カップや、スクラップ対象物を両側から強圧して圧潰又は破断するための一対の破断工具など、各種の作業ハンドを取り付けた解体機も知られており（例えば、特許文献１参照）、このような解体機によってスクラップ解体作業の能率は飛躍的に向上し、しかもスクラップの素材別の分別回収も高い効率で可能となったことは事実である。
【０００３】
近年、廃棄自動車のみならず、それ以外の種々のスクラップ対象物、例えば冷蔵庫や洗濯機等の家電品、鉄筋や窓枠サッシ等の建築廃材、或いは給水管や配水管等の配管廃材等が通常の解体作業では処理しきれず、各地に各種のスクラップ対象物が集積されて解体を待つ状況となりつつある。例えば廃棄された電気洗濯機などでは、外側の筐体及び洗濯槽と内部の電動機とを解体作業で分別しなければならず、また電気冷蔵庫でも筐体と内側断熱材およびコンプレッサーなどを分別解体しなければならないが、従来の解体機では油圧作動ブーム先端の開閉作業ペンチャーによってこれらの内部の電動機やコンプレッサーを直接取り出すことができず、別の手作業による解体またはやむなく一体のまま分別することなく処分する等の処理が行われていた。
【０００４】
このような状況の下、スクラップ対象物の分別回収の取り扱い範囲を寸法及び強度の面で拡大して廃車を始めとする各種のスクラップ対象物の分別解体作業を効率的に行うことのできる多目的スクラップ解体機も知られている（例えば、特許文献２参照）。
【０００５】
一方、大型バスの大型廃棄自動車や、鉄道客車のスクラップ解体作業は、手作業にて椅子等の内装材を取り外した後、エンジン部品の取外しを行なった後に、スクラップ工場の作業場で切断トーチ等により、スクラップ対象の自動車や客車を適当な大きさに切断していた。
【０００６】
この場合、大型バスの大型廃棄自動車や、鉄道客車は、一連のガラス窓を有しており、これらガラス窓については、一般的に耐衝撃性の高いガラス窓が装着されている。近年、耐衝撃性の高いガラスについては、間にプラスチックフィルムを挟んだ合わせガラスや、表面に強化用のフィルムを貼り付けたガラスや、厳密に言うとガラスではなく特殊ポリカーボネート樹脂製の透明板などのように、廃棄車両の車種や製造年度によっても相違するものとなっている。
【０００７】
スクラップ品の再利用を目的とするならば、同種類・同素材のスクラップ品をきちんと分別して回収されたものが資源として再利用できる。このため、最近ではスクラップ破砕施設内で、スクラップを粗く破砕し、更に細かく破砕した後、得られた破砕片について、種々の分離手段によって分離回収される。
【０００８】
例えば、サイクロン装置により、比重の軽いプラスチック主体の破砕片と、比重の重い破砕片とに分離される。比重の重い破砕片についてはドラム磁選機により、鉄系破砕片と、非鉄系破砕片とに分離される。鉄系破砕片が分離された非鉄系破砕片は、磁界の中に非鉄系金属を通過させることにより通過方向に加速させるアルミ選別機によって、非鉄系金属破砕片と、その他の破砕片とに分離される。
【０００９】
非鉄系金属片が分離されたその他の破砕片は、第２のサイクロン装置により、比重の軽いプラスチック破砕片と、より重い破砕片とに分離される。このプラスチック破砕片が分離された破砕片には、ガラス・陶器が主であり、その他として、木材とアルミ選別機で分離されなかったアルミニウム等の非鉄系金属破砕片を含む。
【００１０】
この破砕片は、ドラム状のトロンメル（回転式ふるい）で、ガラス・陶器などの不燃物が多く存在する粒径と、アルミニウム等が多く存在する粒径と、可燃物が多く存在する粒径との３種類に選別される。即ち、非鉄系金属の破砕片では、回転によりガラスや陶器はかなり細かく砕かれ、一方、木材など可燃物は、おおまかな大きさになり、アルミニウムはその中間ぐらいの細かさになることを利用している。
【先行技術文献】
【特許文献】
【００１１】
【特許文献１】特公平３−７８４６０号公報
【特許文献２】特許第３１０１７１７号公報
【発明の概要】
【発明が解決しようとする課題】
【００１２】
スクラップ破砕施設でのスクラップの破砕と分別回収が可能となってはいるが、スクラップの回収時に同一の素材のスクラップはまとめて回収されるべきである。このため、本発明は、一連のガラス窓を有する大型バス・鉄道客車等の廃車車両に装着されたガラスを良好に回収するガラス回収用スクラップ作業車を得ることを目的とする。
【課題を解決するための手段】
【００１３】
請求項１に記載された発明に係るガラス回収用スクラップ作業車は、自走車両に旋回可能に搭載された架台ステージと、このステージに伏仰可能に搭載された油圧作動ブームと、このブームの先端に取付けられたガラス破砕用治具と、前記架台ステージに搭載された起伏駆動可能な作業アームと、該作業アームの先端に取付けられたガラス破砕片回収バケットとを備えたスクラップ作業車であって、
前記油圧作動ブームが、前記架台ステージに伏仰可能に搭載されたロアブームと、前記ロアブームの上端部でロアブームの起伏回動面と交差する平面内の側方へ揺動可能な第１アッパーブームと、前記第１アッパーブームの先端部で第１アッパーブームの揺動平面と平行な平面内の屈曲角度を変更可能な第２アッパーブームと、第２アッパーブームの先端部で第１アッパーブームの揺動平面と平行な平面内の屈曲角度を変更可能な治具アームホルダと、治具アームホルダに装着されたガラス破砕用治具と、外部から車両のガラス窓の下縁部に沿わせることが可能な回収バケットとを備えたものである。
【００１４】
請求項２に記載された発明に係るガラス回収用スクラップ作業車は、請求項１に記載のガラス破砕用治具が遠隔操作によって先端部が開閉作動するニブラーであることを特徴とするものである。
【００１５】
請求項３に記載された発明に係るガラス回収用スクラップ作業車は、請求項１又は２に記載のガラス破砕片回収バケットが取付けられた作業アームが、前記ロアブームの伏仰面に平行な起伏駆動面を有するように配されたことを特徴とするものである。
【００１６】
請求項４に記載された発明に係るガラス回収用スクラップ作業車は、請求項３に記載の架台ステージ上に操縦者が前記ロアブーム及び作業アームに正対するように搭乗可能な操縦席を更に備えたことを特徴とするものである。
【発明の効果】
【００１７】
本発明は、バス及び鉄道客車の廃車解体作業でボトルネックとされていた一連のガラス窓の破砕作業を手作業によらず効率的に可能とすることができるという効果がある。
【図面の簡単な説明】
【００１８】
【図１】本発明のガラス回収用スクラップ作業車の一実施例の構成を示す説明図である。
【図２】図１のスクラップ作業車の操作状況を示す正面図である。
【図３】図２の平面図である。
【発明を実施するための形態】
【００１９】
本発明においては、自走車両に旋回可能に搭載された架台ステージと、このステージに伏仰可能に搭載された油圧作動ブームと、このブームの先端に取付けられたガラス破砕用治具と、前記架台ステージに搭載された起伏駆動可能な作業アームと、該作業アームの先端に取付けられたガラス破砕片回収バケットとを備えたスクラップ作業車である。
【００２０】
本スクラップ作業車の油圧作動ブームは、架台ステージに伏仰可能に搭載されたロアブームと、前記ロアブームの上端部でロアブームの起伏回動面と交差する平面内の側方へ揺動可能な第１アッパーブームと、前記第１アッパーブームの先端部で第１アッパーブームの揺動平面と平行な平面内の屈曲角度を変更可能な第２アッパーブームと、第２アッパーブームの先端部で第１アッパーブームの揺動平面と平行な平面内の屈曲角度を変更可能な治具アームホルダと、治具アームホルダに装着されたガラス破砕用治具と、外部から車両のガラス窓の下縁部に沿わせることが可能な回収バケットとを備える。
【００２１】
即ち、油圧作動ブームは、第１アッパーブームと第２アッパーブームとにより、横方向に曲折可能となり、先端部の治具アームホルダ及びガラス破砕用治具がロアブーム近傍に移動可能となっている。このため、窓ガラスが車体長手方向に２つ以上連続して形成されたスクラップ車両の一つの窓ガラスに油圧作動ブームを進入させ、進入窓ガラスに隣接する窓ガラスの外側下方にガラス破砕片回収バケットを沿わせた後、ガラス破砕用治具で前記隣接する窓ガラスを内側から外側へ破壊することにより、廃車車両に装着されたガラスをガラス破砕片回収バケット内に良好に回収することができる。
【００２２】
また、本発明のガラス破砕用治具としては、廃棄車両の内側から外側へ移動させることにより、窓ガラスを破壊して外方に沿わせておいたガラス破砕片回収バケット内に破片を誘導するものであればよいが、好ましくは操縦者の遠隔操作によって先端部が開閉作動するニブラーである。これにより、ガラス窓を破壊することができ、破壊した後に、窓枠に残ったガラス破片もニブラーで摘んでガラス破砕片回収バケット内に廃棄することが可能となる。
【００２３】
更に、本発明のガラス破砕片回収バケットが取付けられた作業アームとしては、この作業アームの先端に取付けられたガラス破砕片回収バケットを窓ガラスの外側下方に沿わせるものであればよいが、好ましくはロアブームの伏仰面に平行な起伏駆動面を有するように配される。これにより、廃棄車両の破壊される窓ガラスの近傍直下に沿わせることが可能となり、破壊されたガラス片がバケット外へ落下することを防ぐことができる。また、ロアブームを下方に降ろそうとする場合に、ロアブームと作業アーム先端のバケットとが衝突しないように、ロアブームの下げ位置と作業アームの上げ位置とを関連づけて制御することも可能となる。
【００２４】
また、本発明のスクラップ作業車の操縦者は遠隔操作によって作業車、油圧作動ブーム等を操縦するのであれば、どのような場所にいてもよいが、作業車上で操縦するのが好ましい。好ましい本発明では、架台ステージ上に操縦者が前記ロアブーム及び作業アームに正対するように搭乗可能な操縦席を更に設け、この操縦席上で操縦することにより、細やかな操縦が可能となる。
【実施例】
【００２５】
図１は本発明のガラス回収用スクラップ作業車の一実施例の構成を示す説明図である。図に示す通り、本実施例のガラス回収用スクラップ作業車１０は、エンジン出力又は外部電源から供給される電力で駆動される架台ステージ１２が搭載された自走車両１１を備える。
【００２６】
またこのステージ１２上には、走行時に前向きとなるように操縦者が搭乗する操縦席を内部に備えた操縦キャビン１３が前部左側に設けられており、また中央部には油圧作動ブーム２０が搭載されており、右側部には油圧発生装置１４が搭載されている。ステージ１２の操縦席前方には、一対の作業アーム１５が油圧シリンダ１６で起伏可能に枢支されている。
【００２７】
油圧作動ブーム２０は、起伏シリンダ２１で伏仰可能に架台ステージに搭載されたロアブーム２２と、このロアブーム２２の先端に第１揺動シリンダ２３で横方向に揺動可能に取付けられた第１アッパーブーム２４と、この第１アッパーブーム２４の先端に第２揺動シリンダ２５で横方向に揺動可能に取付けられた第２アッパーブーム２６と、この第２アッパーブーム２６の先端に第３揺動シリンダ２７で上下方向に揺動可能に取付けられた治具アームホルダ２８と、このホルダ２８の先端に図示しない電動モータで回動可能に取付けられたニブラー２９とを有している。
【００２８】
一対の作業アーム１５は、常に操縦者の正面に配置されるように、ステージ１２の回転に伴って回転する。この作業アーム１５の先端にはガラス破砕片回収バケット１７が設置されている。バケット１７は油圧シリンダ１６による作業アーム１５の起伏によって廃棄車両の窓の外側下方に沿わせることができ、細やかな操縦が可能となる。
【００２９】
尚、作業アーム１５は、ロアブーム２２の伏仰面に平行な起伏駆動面を有するように配される。これにより、廃棄車両の破壊される窓ガラスの近傍直下に沿わせることが可能となり、破壊されたガラス片がバケット外へ落下することを防ぐことができる。また、ロアブーム２２を下方に降ろそうとする場合に、ロアブーム２２と作業アーム１５先端のバケット１７とが衝突しないように、ロアブーム２２の下げ位置と作業アーム１５の上げ位置とを関連づけて制御することも可能となる。
【００３０】
次に本ガラス回収用スクラップ作業車１０の作業手順を説明する。図２は図１のスクラップ作業車の操作状況を示す正面図である。図３は図２の平面図である。図に示す通り、廃棄車両４１の周囲に配された高さ調節のためのプラットホーム４０上に本スクラップ作業車１０が配置されている。
【００３１】
スクラップ作業車１０の自走車両１１の走行方向は廃棄車両４１の長手方向と平行に運転される。その際には、油圧シリンダ１６を駆動して作業アーム１５を持ち上げ、ガラス破砕片回収バケット１７を廃棄車両４１の窓の直下位置に合わせておく。
【００３２】
廃棄車両４１の長手方向の一端（図３における上方）に配される窓を予め撤去するか、内側から外側に向かって破壊しておく。尚、廃棄車両４１からのスクラップが、種々の分離手段によって分離回収されるスクラップ破砕施設に送られるのであれば、スクラップ作業車１０の先端に配されたニブラー２９で外側から内側へ叩き割ってもよい。
【００３３】
廃棄車両４１の開放された窓４２からニブラー２９先端を進入させ、油圧作動ブーム２０のロアブーム２２と、第１アッパーブーム２４と、第２アッパーブーム２６と、治具アームホルダ２８とを駆動して開放された隣の窓４３の内側にニブラー２９先端を移動させる。
【００３４】
ニブラー２９を駆動して窓４３のガラスを内側から外側に向かって移動させてガラスを割り、破片を廃棄車両４１の外側に配したバケット１７に落下させる。窓４３に残ったガラス片はニブラー２９を駆動して摘み、バケット１７内に入れて取り除く。図に示す通り、操縦者の正面にニブラー２９先端が配置されるため、細やかな操縦が可能となる。
【００３５】
窓４３のガラス片の全てをバケット１７に入れて取り除いた後に、油圧作動ブーム２０のロアブーム２２と、第１アッパーブーム２４と、第２アッパーブーム２６と、治具アームホルダ２８とを駆動して開放された窓４２からニブラー２９を退出させる。自走車両１１を、バケット１７が更に隣の窓の直下位置まで後方に移動させる。
【００３６】
前述の開放された窓４３からニブラー２９先端を進入させ、油圧作動ブーム２０のロアブーム２２と、第１アッパーブーム２４と、第２アッパーブーム２６と、治具アームホルダ２８とを駆動して開放された更に隣の窓４４の内側にニブラー２９先端を移動させ、これを駆動して窓４４のガラスを内側から外側に向かって移動させてガラスを割り、破片を廃棄車両４１の外側に配したバケット１７に落下させる。前述と同様に、窓４４に残ったガラス片はニブラー２９を駆動して摘み、バケット１７内に入れて取り除く。
【００３７】
同様に、窓４４のガラス片の全てをバケット１７に入れて取り除いた後に、油圧作動ブーム２０のロアブーム２２と、第１アッパーブーム２４と、第２アッパーブーム２６と、治具アームホルダ２８とを駆動して開放された窓４３からニブラー２９を退出させる。自走車両１１を、バケット１７が更に隣の窓の直下位置まで後方に移動させ、これを繰り返して、廃棄車両４１の片側の窓ガラスを取り除き、他方側の窓ガラスも同様に行うことにより、一連のガラス窓を有する大型バス・鉄道客車等の廃車車両に装着されたガラスを良好に回収することができる。
【符号の説明】
【００３８】
１０…ガラス回収用スクラップ作業車、
１１…自走車両、
１２…架台ステージ、
１３…操縦キャビン、
１４…油圧発生装置、
１５…作業アーム、
１６…油圧シリンダ、
１７…ガラス破砕片回収バケット、
２０…油圧作動ブーム、
２１…起伏シリンダ、
２２…ロアブーム、
２３…第１揺動シリンダ、
２４…第１アッパーブーム、
２５…第２揺動シリンダ、
２６…第２アッパーブーム、
２７…第３揺動シリンダ、
２８…治具アームホルダ、
２９…ニブラー、
４０…プラットホーム、
４１…廃棄車両、
４２…開放された窓、
４３…開放された隣の窓、
４４…更に隣の窓、
【図１】
2011000975.tif 000003
【図２】
2011000975.tif 000004
【図３】
2011000975.tif 000005